(57)【要約】  【課題】  本発明は、通常のシート状の原稿のみならず、ブック原稿等の変形原稿に対しても適切な読み取りを行うことができる画像読取装置を提供することを目的とする。  【解決手段】  画像読取装置本体１の内部には、結像レンズ１６と、ＣＣＤセンサ１７が搭載されたＣＣＤユニット１８を有する画像読取ユニット２０が配設されている。画像読取ユニット２０をスキャン方向に所定距離だけ移動させ、原稿台ガラス２の上面２ａも当該有効被写界深度２１の範囲内となるように、有効被写界深度２１の中心２２を原稿台ガラス２の上方に設定し、有効被写界深度２１を原稿台ガラス２の上方に移動させる。ブック原稿２３のうち、原稿台ガラス２の上面２ａに密着する部分のみならず、原稿台ガラスに密着しない部分（特に、綴じ部）も当該有効被写界深度の範囲内に位置するため、ブック原稿２３の見開き頁の全体において、鮮明な複写画像を得ることが可能となる。【選択図】      図６
2005065089.tif 000002
【特許請求の範囲】
【請求項１】
シート状の原稿または立体物が載置される原稿台ガラスと、光源により照射され、前記シート状の原稿または前記立体物により反射された光が入射されるＣＣＤセンサと前記ＣＣＤセンサに対面して設けられた結像レンズとを有する画像読取ユニットとを備える画像読取装置において、
前記立体物の画像を読み取る際に、前記画像読取ユニットをスキャン方向に所定距離移動させることにより、原稿面上の有効被写界深度の中心を前記原稿台ガラスの上方に設定し、前記有効被写界深度を前記原稿台ガラスの上方に移動させることを特徴とする画像読取装置。
【請求項２】
前記原稿台ガラスの上面が前記有効被写界深度の範囲内となるように、前記有効被写界深度を前記原稿台ガラスの上方に移動させることを特徴とする請求項１に記載の画像読取装置。
【請求項３】
前記シート状の原稿を押圧し支持する原稿カバーと、前記原稿カバーの開閉状態を検知するためのセンサを有するスイッチとを更に備えており、前記スイッチに連動させて前記有効被写界深度を前記原稿台ガラスの上方に移動させることを特徴とする請求項１または請求項２に記載の画像読取装置。
【請求項４】
前記立体物を読み取るための立体物読取モードが選択された時に、前記有効被写界深度を前記原稿台ガラスの上方に移動させることを特徴とする請求項１または請求項２に記載の画像読取装置。
【発明の詳細な説明】
【技術分野】
【０００１】
本発明は、原稿の画像を読み取る画像読取装置であって、ブック原稿等の変形原稿に対しても適切な読み取りを行うことができる画像読取装置に関する。
【背景技術】
【０００２】
一般に、ファクシミリ装置やスキャナ装置等の画像読取装置においては、フラットベッドタイプの画像読取装置が用いられており、このような画像読取装置においては、画像読取装置本体の上面に設けられた透明な原稿台ガラス（又は、コンタクトガラス）上に、原稿を載置し、画像読取装置内に設けられた読み取り光学系の光源とミラーを、上記原稿台ガラスの下面に沿ってスキャン方向に往復移動させることにより原稿の画像の読み取りを行っている。
【０００３】
ここで、画像読取装置本体の上面に設けている原稿台ガラスは、平らなガラス板であることから、シート状の原稿を原稿台ガラス上にセットする場合には、原稿が原稿台ガラス面に容易に密着するため、原稿面上の有効被写界深度（ピント範囲）の中心（ピント中心）を上記原稿台ガラスの上面に設定することにより、鮮明な複写画像を得る構成となっている。尚、ここで言う有効被写界深度とは、許容可能な解像度を有する範囲（深度±５ｍｍ程度）をいい、当該有効被写界深度の範囲内においては、画像品質に問題が生じることはない。
【０００４】
しかしながら、原稿が立体物（例えば、本等のブック原稿）であって、見開き頁の中央部に綴じ部がある場合には、その綴じ目が浮き上がってしまい、原稿の読取面の全体が原稿台ガラスに密着しない状態で読み取りが行われるため、上記綴じ部が有効被写界深度の範囲外となってしまい、原稿台ガラスに密着しない部分（特に、綴じ部）において、鮮明な複写画像を得ることが困難になってしまう。
【０００５】
又、本等のブック原稿を水平状態にまで大きく開くと、背表紙の部分が大きく曲げられたりして、硬い背表紙に折れ目が生じたり、背表紙が綴じ目の背面から離間したり、綴じ目が離れたりして損傷を受ける等の綴じ目の部分に悪影響が生じるという問題がある。
【０００６】
そこで、上記不都合を回避し、鮮明な複写画像を得るために、原稿をセットする２個の原稿台ガラスをエッジ部を介して所定の角度により配置するとともに、これらの原稿台ガラスに対応させて、画像読取装置内に２個の読み取り光学系を配置し、ブック原稿を開いた状態で当該ブック原稿の綴じ目の部分を上記エッジ部に位置させてセットし、ブック原稿の綴じ目の部分を２個の原稿台ガラスに密着させることにより、前記ブック原稿の見開きの両頁の読み取りを行う画像読取装置が提案されている（例えば、特許文献１参照）。
【特許文献１】特開２０００−１６５６０８号公報（第２−３頁、第１−３図）
【発明の開示】
【発明が解決しようとする課題】
【０００７】
しかしながら、上記従来の画像読取装置においては、上述のごとく、原稿をセットする原稿台ガラスを２個配置するとともに、当該原稿台ガラスに対応させて、画像読取装置内に２個の読み取り光学系を配置する必要があるため、画像読取装置の構成が複雑になるとともに、コストがアップするという問題があった。又、このような従来の画像読取装置は、通常のシート状の原稿の読み取りに対して適した構成であるとは言えない。
【０００８】
本発明は、上記問題点を解決し、通常のシート状の原稿のみならず、ブック原稿等の変形原稿に対しても適切な読み取りを行うことができる画像読取装置を提供することを目的とする。
【課題を解決するための手段】
【０００９】
上記目的を達成するために、請求項１に記載の画像読取装置は、シート状の原稿または立体物が載置される原稿台ガラスと、光源により照射され、シート状の原稿または立体物により反射された光が入射されるＣＣＤセンサとＣＣＤセンサに対面して設けられた結像レンズとを有する画像読取ユニットとを備え、立体物の画像を読み取る際に、画像読取ユニットをスキャン方向に所定距離移動させることにより、原稿面上の有効被写界深度の中心を原稿台ガラスの上方に設定し、有効被写界深度を原稿台ガラスの上方に移動させることを特徴とする。
【００１０】
又、請求項２に記載の画像読取装置は、原稿台ガラスの上面が有効被写界深度の範囲内となるように、有効被写界深度を原稿台ガラスの上方に移動させることを特徴とする。
【００１１】
又、請求項３に記載の画像読取装置は、シート状の原稿を押圧し支持する原稿カバーと、原稿カバーの開閉状態を検知するためのセンサを有するスイッチとを更に備えており、スイッチに連動させて有効被写界深度を原稿台ガラスの上方に移動させることを特徴とする。
【００１２】
又、請求項４に記載の画像形成装置は、立体物を読み取るための立体物読取モードが選択された時に、有効被写界深度を原稿台ガラスの上方に移動させることを特徴とする。
【発明の効果】
【００１３】
請求項１に記載の発明によれば、立体物を読み取る際に、画像読取ユニットをスキャン方向に所定距離移動させ、原稿面上の有効被写界深度の中心を原稿台ガラスの上方に設定し、有効被写界深度を原稿台ガラスの上方に移動させる構成となっているため、従来技術に比し、簡単な構成で、ブック原稿等の立体物に対しても適切な読み取りを行うことが可能になるとともに、複雑な構成に基づくコストアップを抑制することが可能になる。
【００１４】
又、請求項２に記載の発明によれば、原稿台ガラスの上面も有効被写界深度の範囲内となるように、有効被写界深度を原稿台ガラスの上方に移動させる構成となっているため、原稿台ガラスに載置されたブック原稿等の立体物において、原稿台ガラスの上面に密着する部分のみならず、原稿台ガラスに密着しない部分も有効被写界深度の範囲内に位置することになる。従って、立体物の見開き頁の全体において、鮮明な複写画像を得ることが可能となる。
【００１５】
又、請求項３に記載の発明によれば、原稿カバーの開閉状態を検知するためのセンサを有するスイッチに連動させて、有効被写界深度を原稿台ガラスの上方に移動させる構成となっているため、非常に簡単な構成で、ブック原稿等の変形原稿に対しても適切な読み取りを行うことが可能になる。
【００１６】
又、請求項４に記載の発明によれば、立体物を読み取るための立体物読取モードが選択された時に、有効被写界深度を原稿台ガラスの上方に移動させる構成となっているため、非常に簡単な構成で、ブック原稿等の変形原稿に対しても適切な読み取りを行うことが可能になる。
【発明を実施するための最良の形態】
【００１７】
以下、図面を参照して、本発明の実施形態を詳細に説明する。図１は、本発明の実施形態に係る画像読取装置の外観構成を示す概略図である。図１において、画像読取装置５０は、画像読取装置本体１と、画像読取装置本体１の上面に設けられた原稿台ガラス２と、当該原稿台ガラス２上に置かれたシート状の原稿３を押圧し支持する原稿カバー４を備えており、当該原稿カバー４により、シート状の原稿３を原稿台ガラス２に対して均一に押圧できるようになっている。又、当該原稿カバー４は、画像読取装置本体１の側方に設けられた原稿カバー支持部５により、上下方向に開閉可能となるように支持されている。尚、当該原稿カバー支持部５を画像読取装置本体１の内部に設け、原稿カバー４を上下方向に開閉可能となるように支持する構成としても良い。
【００１８】
又、原稿カバー支持部５には、原稿カバー４の開閉状態を検知するためのセンサ６が設けられており、画像読取装置本体１と原稿カバー支持部５の間に設けられた原稿カバー開閉検知用の補助部材７と当該センサ６によりスイッチが構成されている。
【００１９】
即ち、図１に示す様に、補助部材７の上方先端部７ｂは、原稿カバー４と当接しており、原稿カバー４の開閉に連動して、当該補助部材７が上下方向に移動する様になっている。又、図２に示す様に、センサ６は、赤外線等を発する発光ダイオードからなる発光素子８と、フォトダイオードからなる受光素子９を有している。そして、原稿カバー４が閉じた状態（即ち、図１に示す状態）にある場合は、補助部材７に形成された突起部７ａは、図２に実線で示す７ａの状態にあり、この状態下では、発光素子８と受光素子９は遮光状態（即ち、スイッチＯＦＦの状態）にあるが、原稿カバー４が徐々に開かれ、図３に示す状態になると、これに連動して補助部材７が上方に移動するとともに、補助部材７に形成された突起部７ａも上方（図２の矢印の方向）に移動し、図２において点線で示す７ａ'の状態になり、発光素子８と受光素子９の遮光状態が解除され（即ち、スイッチＯＮの状態）、光信号が発生する構成となっている。
【００２０】
図４は、本発明の実施形態に係る画像読取装置の全体構成を示す概略図である。図４において、画像読取装置本体１は、原稿台ガラス２上に載置されたシート状の原稿３に光を照射して原稿を照明する光源１０と、原稿３により反射された照射光（以下、原稿反射光という）を９０度方向に反射する第１ミラー１１とから構成される第１光学系ユニット１２と、第１ミラー１１による反射光を９０度方向に反射する第２ミラー１３と、第２ミラー１３による反射光を更に９０度方向に反射する第３ミラー１４とから構成される第２光学系ユニット１５を備えている。
【００２１】
又、画像読取装置本体１の内部には、結像レンズ１６と、ＣＣＤセンサ１７が搭載されたＣＣＤユニット１８を有する画像読取ユニット２０が配設されており、第３ミラー１４により反射された原稿３からの照射光は、ＣＣＤセンサ１７に対面して設けられた結像レンズ１６により収束され、当該結像レンズ１６を介してＣＣＤセンサ１７に入射し、当該ＣＣＤセンサ１７上に結像される。そして、原稿３上を走査した画像の光は、ＣＣＤセンサ１７により電気信号に変換され、原稿画像の濃淡が電気信号レベルの高低に変換される。尚、図４において、原稿反射光の光路を一点鎖線で示す。
【００２２】
又、上記構成においては、光源１０がスキャン方向に移動しても原稿側光路長が変化しないようにするために、光源１０と第１ミラー１１とから構成される第１光学ユニット１２と、第２ミラー１３と第３ミラー１４とから構成される第２光学ユニット１５は、各々、一定速度で移動可能となるように設けられている。
【００２３】
尚、原稿台ガラス２上にブック原稿２３等の立体物を載置し、当該ブック原稿２３の画像を読み取る場合（図６参照）においても、上述の図４において説明した画像読取装置の構成と全く同様の構成により画像が読み取られ、光源１０により照射され、ブック原稿２３により反射された光がＣＣＤセンサ１７に対面して設けられた結像レンズ１６を介してＣＣＤセンサ１７に入射し、当該ＣＣＤセンサ１７上に結像される。
【００２４】
ここで、上述のごとく、シート状の原稿３を原稿台ガラス２上にセットする場合には、原稿３が原稿台ガラス２の上面２ａに容易に密着するため、図５に示す様に、原稿面上の有効被写界深度２１の中心２２を上記原稿台ガラス２の上面２ａに設定することにより、鮮明な複写画像を得る構成となっているが、立体物（例えば、本等のブック原稿）を原稿台ガラス２上に載置する場合であって、見開き頁の中央部に綴じ部がある場合には、その綴じ目が浮き上がってしまい、原稿の読取面の全体が原稿台ガラス２に密着しない状態で読み取りが行われるため、上記綴じ部が有効被写界深度２１の範囲外となってしまい、原稿台ガラス２の上面２ａに密着しない部分（特に、綴じ部）において、鮮明な複写画像を得ることが困難になってしまう。
【００２５】
そこで、本実施形態においては、図６、図７に示す様に、見開き頁の中央部に綴じ部を有する本等のブック原稿２３を読み取る際に、原稿面上の有効被写界深度２１の中心２２を原稿台ガラス２の上方に設定することにより、有効被写界深度２１を原稿台ガラス２の上方に移動させる点に特徴がある。
【００２６】
より具体的には、図１〜図３において説明した、原稿カバー４の開閉状態を検知するためのセンサ６と原稿カバー開閉検知用の補助部材７により構成されたスイッチに連動させて立体物を読み取るための立体物読取モード（以下、「ブック原稿モード」と言う）に切り替えることにより、あるいは、画像読取装置本体１に形成された操作部（不図示）に設けられた「ブック原稿モード」を選択することにより、画像読取ユニット２０をスキャン方向（図４の矢印Ａの方向）に所定距離移動させ、有効被写界深度２１の中心２２を原稿台ガラス２の上方に設定することにより、有効被写界深度２１を原稿台ガラス２の上方に移動させる構成となっている。尚、この様に有効被写界深度２１を原稿台ガラス２の上方に移動させた場合であっても、原稿台ガラス２の上面２ａも当該有効被写界深度２１の範囲内に位置している。即ち、原稿台ガラス２の上面２ａも当該有効被写界深度２１の範囲内となるように、有効被写界深度２１の中心２２を原稿台ガラス２の上方に設定し、有効被写界深度２１を原稿台ガラス２の上方に移動させる構成となっている。
【００２７】
この様に有効被写界深度を移動させることにより、図７に示す様に、ブック原稿２３のうち、原稿台ガラス２の上面２ａに密着する部分のみならず、原稿台ガラス２に密着しない部分（特に、綴じ部）も当該有効被写界深度の範囲内に位置するため、ブック原稿２３の見開き頁の全体において、鮮明な複写画像を得ることが可能となる。
【００２８】
又、画像読取ユニット２０は、図示しない駆動手段により、上述のスキャン方向に移動させる構成となっており、当該駆動手段としては、例えば、モータと、当該モータにより駆動されるカム等が挙げられる。
【００２９】
次に、図面を参照して、本発明の実施形態におけるブック原稿モードの動作手順を説明する。図８は、本発明の実施形態に係る画像読取装置において、スイッチに連動させて有効被写界深度を原稿台ガラスの上方に移動させる際の手順を示すフローチャートであり、図９は、本発明の実施形態に係る画像読取装置において、操作部に設けられた「ブック原稿モード」が選択された時に、有効被写界深度を原稿台ガラスの上方に移動させる際の手順を示すフローチャートである。
【００３０】
図８に示す手順では、まず、原稿台ガラス２の上面２ａにブック原稿２３を載置するために（図６参照）、図１の状態から、図３に示す様に原稿カバー４を開け（ステップＳ１）、当該原稿カバー４に連動させて補助部材７を上方向に移動させて、発光素子８と受光素子９の遮光状態を解除し（即ち、受光状態にし）、センサ６をスイッチＯＮの状態にする（ステップＳ２）。そうすると、センサ６のスイッチＯＮに連動して、「ブック原稿モード」がＯＮになる（ステップＳ３）。次に、原稿台ガラス２の上面２ａにブック原稿２３を載置し、操作部（不図示）に設けられた複写ボタンをＯＮにすると（ステップＳ４）、画像読取ユニット２０がスキャン方向（図４の矢印Ａの方向）に所定距離移動し（ステップＳ５）、有効被写界深度２１の中心２２が原稿台ガラス２の上方に設定されるとともに、有効被写界深度２１が原稿台ガラス２の上方に移動し（ステップＳ６）、ブック原稿２３の複写が行われる（ステップＳ７）。複写終了後、原稿台ガラス２の上面２ａからブック原稿２３を取り除き、原稿カバー４を図１に示す状態に閉じ（ステップＳ８）、当該原稿カバー４に連動させて補助部材７を下方向に移動させて、発光素子８と受光素子９を遮光状態にし、センサ６をスイッチＯＦＦの状態にする（ステップＳ９）。そうすると、センサ６のスイッチＯＦＦに連動して、「ブック原稿モード」がＯＦＦになり（ステップＳ１０）、画像読取ユニット２０が図４に示す所定の位置に移動し（ステップＳ１１）、有効被写界深度２１の中心２２が原稿台ガラス２の上面２ａに再度設定され、当該有効被写界深度２１が図４、図５に示す状態に戻り（ステップＳ１２）、シート状の原稿３の複写に適した通常の複写モードに戻る。尚、上記ステップＳ１１に関しては、オートリセット機能により、所定時間経過後、又は、次の複写ボタンＯＮ時に、画像読取ユニット２０が図４に示す所定の位置に移動する構成とすることができる。
【００３１】
又、本実施形態においては、図３に示す状態まで原稿カバー４を開け、発光素子８と受光素子９の遮光状態を解除し、センサ６をスイッチＯＮの状態にしない場合、即ち、原稿カバー４の開放が不十分な場合であっても、操作部に設けられた「ブック原稿モード」を選択することにより、ブック原稿等の変形原稿に対して適切な読み取りを行うことができる。即ち、図９に示す手順では、まず、原稿台ガラス２の上面２ａにブック原稿２３を載置するために、原稿カバー４を開放する（ステップＳ１）。次いで、画像読取装置本体１に形成された操作部（不図示）を操作し、「ブック原稿モード」を選択する（ステップＳ２）。この際、上記「ブック原稿モード」の選択により、「ブック原稿モード」がＯＮになる（ステップＳ３）。次に、原稿台ガラス２の上面２ａにブック原稿２３を載置し、操作部（不図示）に設けられた複写ボタンをＯＮにすると（ステップＳ４）、画像読取ユニット２０がスキャン方向（図４の矢印Ａの方向）に所定距離移動し（ステップＳ５）、有効被写界深度２１の中心２２が原稿台ガラス２の上方に設定されるとともに、有効被写界深度２１が原稿台ガラス２の上方に移動し（ステップＳ６）、ブック原稿２３の複写が行われる（ステップＳ７）。複写終了後、原稿台ガラス２の上面２ａからブック原稿２３を取り除き、操作部に設けられた「ブック原稿モード停止ボタン」を選択すると（ステップＳ８）、「ブック原稿モード」がＯＦＦになり（ステップＳ９）、画像読取ユニット２０が図４に示す所定の位置に移動し（ステップＳ１０）、有効被写界深度２１の中心２２が原稿台ガラス２の上面２ａに再度設定され、当該有効被写界深度２１が図４、図５に示す状態に戻り（ステップＳ１１）、上述の通常の複写モードに戻る。尚、上記ステップＳ１０に関しては、図８のステップＳ１１の場合と同様に、オートリセット機能により、所定時間経過後、又は、次の複写ボタンＯＮ時に、画像読取ユニット２０が図４に示す所定の位置に移動する構成としても良い。
【００３２】
以上に説明したように、本実施形態においては、ブック原稿２３を読み取る際に、ブック原稿モードを設定し、画像読取ユニット２０をスキャン方向に所定距離移動させ、原稿面上の有効被写界深度２１の中心２２を原稿台ガラス２の上方に設定し、有効被写界深度２１を原稿台ガラス２の上方に移動させる構成となっている。従って、従来技術に比し、簡単な構成で、ブック原稿等の変形原稿に対しても適切な読み取りを行うことが可能になるとともに、複雑な構成に基づくコストアップを抑制することが可能になる。
【００３３】
又、特に、本実施形態においては、原稿台ガラス２の上面２ａも当該有効被写界深度２１の範囲内となるように、有効被写界深度２１の中心２２を原稿台ガラス２の上方に設定し、有効被写界深度２１を原稿台ガラス２の上方に移動させる構成となっているため、ブック原稿２３のうち、原稿台ガラス２の上面２ａに密着する部分のみならず、原稿台ガラス２に密着しない部分（特に、綴じ部）も当該有効被写界深度２１の範囲内に位置することになる。従って、ブック原稿２３の見開き頁の全体において、鮮明な複写画像を得ることが可能となる。
【００３４】
又、原稿カバー４の開閉状態を検知するためのセンサ６と原稿カバー開閉検知用の補助部材７により構成されたスイッチに連動させて、あるいは、画像読取装置本体１に形成された操作部に設けられた「ブック原稿モード」が選択された時に、画像読取ユニット２０をスキャン方向に所定距離移動させるとともに、有効被写界深度２１の中心２２を原稿台ガラス２の上方に設定し、有効被写界深度２１を原稿台ガラス２の上方に移動させる構成となっているため、非常に簡単な構成で、ブック原稿等の変形原稿に対しても適切な読み取りを行うことが可能になる。
【００３５】
又、ブック原稿モードの設定前においては、シート状原稿３の読み取りに適した通常の複写モード（即ち、原稿面上の有効被写界深度２１の中心２２を上記原稿台ガラス２の上面２ａに設定した状態）で使用することができ、ブック原稿モードを設定した場合（即ち、有効被写界深度２１を原稿台ガラス２の上方に移動させた場合）であっても、当該ブック原稿モードを解除することにより、再び、上述の通常の複写モードにおいて使用が可能になるため、本実施形態における画像読取装置５０は、シート状の原稿３に対しても適した読み取りを行うことができる。
【００３６】
尚、本発明は、上記実施形態に限定されるものではなく、本発明の趣旨に基づいて各部の構造、形状等を適宜変更することが可能であり、それらを本発明の範囲から除外するものではない。
【産業上の利用可能性】
【００３７】
本発明の活用例としては、画像読取装置本体の上面に設けられた透明な原稿台ガラス上に原稿を載置し、読取り光学系の光源とミラーを画像読取装置内の所定の位置に移動、固定させ、原稿の画像を読取る画像読取装置が挙げられる。
【図面の簡単な説明】
【００３８】
【図１】は、本発明の実施形態に係る画像読取装置の外観構成を示す概略図である。
【図２】は、本発明の実施形態に係る画像読取装置におけるスイッチの構成を示す斜視図である。
【図３】は、本発明の実施形態に係る画像読取装置の外観構成を示す概略図である。
【図４】は、本発明の実施形態に係る画像読取装置の全体構成を示す概略図である。
【図５】は、本発明の実施形態に係る画像読取装置の通常複写モードにおける有効被写界深度を説明するための概略図である。
【図６】は、本発明の実施形態に係る画像読取装置のブック原稿モードにおける全体構成を示す概略図である。
【図７】は、本発明の実施形態に係る画像読取装置のブック原稿モードにおける有効被写界深度を説明するための概略図である。
【図８】は、本発明の実施形態に係る画像読取装置において、スイッチに連動させて有効被写界深度を原稿台ガラスの上方に移動させる際の手順を示すフローチャートである。
【図９】は、本発明の実施形態に係る画像読取装置において、操作部に設けられた「ブック原稿モード」が選択された時に、有効被写界深度を原稿台ガラスの上方に移動させる際の手順を示すフローチャートである。
【符号の説明】
【００３９】
１    画像読取装置本体
２    原稿台ガラス
３    シート状の原稿
４    原稿カバー
５    原稿カバー支持部
６    センサ
７    原稿カバー開閉検知用補助部材
２０    画像読取ユニット
２１    有効被写界深度
２２    有効被写界深度の中心
２３    ブック原稿
５０    画像読取装置
【図１】
2005065089.tif 000003
【図２】
2005065089.tif 000004
【図３】
2005065089.tif 000005
【図４】
2005065089.tif 000006
【図５】
2005065089.tif 000007
【図６】
2005065089.tif 000008
【図７】
2005065089.tif 000009
【図８】
2005065089.tif 000010
【図９】
2005065089.tif 000011